(57)【要約】【課題】外部メディアにまとめてアーカイブ可能なプレイリストを作成する装置および方法を実現する。【解決手段】コンテンツの再生順を規定したプレイリストの作成において、外部記録メディアをプレイリストの登録コンテンツの記録先として想定したプレイリスト作成処理を行う。プレイリストに対する新規コンテンツの登録に際して、プレイリスト登録コンテンツの全てを外部記録メディアに記録可能か否かの容量判定を実行し、記録可能であるとの判定を条件として、新規コンテンツをプレイリストに登録する。本構成により、プレイリスト登録コンテンツのアーカイブ（コピー処理）に際して、１つのＤＶＤなど１つの記録メディアに対して確実に記録することが可能となる。【選択図】図１
2009071451.tif 000002
【特許請求の範囲】
【請求項１】
情報処理装置であり、
コンテンツを格納する内部記録メディアと、
前記内部記録メディアの格納コンテンツの再生順を定義したリストであるプレイリストを作成するプレイリスト作成部を有し、
前記プレイリスト作成部は、
外部記録メディアをプレイリストの登録コンテンツの記録先として想定したプレイリスト作成処理を行う構成であり、
プレイリストに対する新規コンテンツの登録に際して、プレイリスト登録コンテンツの全てを前記外部記録メディアに記録可能か否かの容量判定を実行し、記録可能であるとの判定を条件として、前記新規コンテンツをプレイリストに登録することを特徴とする情報処理装置。
【請求項２】
前記プレイリスト作成部は、
前記外部記録メディアの残容量を取得または算出して、外部記録メディアの残容量と、前記新規コンテンツの容量とを比較する容量判定処理を実行する構成であることを特徴とする請求項１に記載の情報処理装置。
【請求項３】
前記プレイリスト作成部は、
プレイリストの登録済みコンテンツに対応して算出される前記外部記録メディアの使用容量を取得または算出して、前記新規コンテンツの容量を加算した全容量が、前記外部記録メディアの全容量を超えないか否かの容量判定処理を実行する構成であることを特徴とする請求項１に記載の情報処理装置。
【請求項４】
前記プレイリスト作成部は、
前記新規コンテンツの容量として、該新規コンテンツのコンテンツ実体データの容量と、該コンテンツ実体データに対応する管理情報の容量とを併せた容量を算出して前記容量判定処理を実行する構成であることを特徴とする請求項２または３に記載の情報処理装置。
【請求項５】
前記プレイリスト作成部は、
前記容量判定処理に適用するための外部記録メディアの残容量または使用容量情報を、前記内部記録メディアに記録された管理情報の格納データから取得または格納データを適用して算出する処理を実行する構成であることを特徴とする請求項１に記載の情報処理装置。
【請求項６】
前記プレイリスト作成部は、
プレイリストに対するコンテンツの登録または削除または編集により、プレイリスト登録コンテンツが更新された場合、プレイリスト更新に応じて前記管理情報の更新を実行する構成であることを特徴とする請求項５に記載の情報処理装置。
【請求項７】
前記管理情報は、ＡＶＣＨＤフォーマットにおいて規定される管理情報であることを特徴とする請求項５または６に記載の情報処理装置。
【請求項８】
前記管理情報は、ＡＶＣＨＤフォーマットにおいて規定されるインデックスファイルまたはプレイリストファイルであることを特徴とする請求項７に記載の情報処理装置。
【請求項９】
前記プレイリスト作成部は、
ＡＶＣＨＤフォーマットにおいて規定されるバーチャルプレイリストの作成処理を実行する構成であることを特徴とする請求項１に記載の情報処理装置。
【請求項１０】
コンテンツを格納した内部記録メディアを有する情報処理装置において実行する情報処理方法であり、
プレイリスト作成部が、前記内部記録メディアの格納コンテンツの再生順を定義したリストであるプレイリストを作成するプレイリスト作成ステップを有し、
前記プレイリスト作成ステップは、
外部記録メディアをプレイリストの登録コンテンツの記録先として想定したプレイリスト作成処理を行うステップであり、
プレイリストに対する新規コンテンツの登録に際して、プレイリスト登録コンテンツの全てを前記外部記録メディアに記録可能か否かの容量判定を実行する容量判定ステップと、
前記容量判定ステップにおいて、記録可能であるとの判定を条件として、前記新規コンテンツをプレイリストに登録する登録ステップとを含むステップであることを特徴とする情報処理方法。
【請求項１１】
前記容量判定ステップは、
前記外部記録メディアの残容量を取得または算出して、外部記録メディアの残容量と、前記新規コンテンツの容量とを比較する容量判定処理を実行するステップであることを特徴とする請求項１０に記載の情報処理方法。
【請求項１２】
前記容量判定ステップは、
プレイリストの登録済みコンテンツに対応して算出される前記外部記録メディアの使用容量を取得または算出して、前記新規コンテンツの容量を加算した全容量が、前記外部記録メディアの全容量を超えないか否かの容量判定処理を実行するステップであることを特徴とする請求項１０に記載の情報処理方法。
【請求項１３】
前記容量判定ステップは、
前記新規コンテンツの容量として、該新規コンテンツのコンテンツ実体データの容量と、該コンテンツ実体データに対応する管理情報の容量とを併せた容量を算出して容量判定処理を実行するステップであることを特徴とする請求項１１または１２に記載の情報処理方法。
【請求項１４】
前記容量判定ステップは、
前記容量判定処理に適用するための外部記録メディアの残容量または使用容量情報を、前記内部記録メディアに記録された管理情報の格納データから取得または格納データを適用して算出する処理を実行するステップを有することを特徴とする請求項１０に記載の情報処理方法。
【請求項１５】
情報処理方法において、さらに、
プレイリストに対するコンテンツの登録または削除または編集により、プレイリスト登録コンテンツが更新された場合、
前記プレイリスト作成部が、プレイリスト更新に応じて前記管理情報の更新を実行することを特徴とする請求項１４に記載の情報処理方法。
【請求項１６】
前記管理情報は、ＡＶＣＨＤフォーマットにおいて規定される管理情報であることを特徴とする請求項１４または１５に記載の情報処理方法。
【請求項１７】
前記管理情報は、ＡＶＣＨＤフォーマットにおいて規定されるインデックスファイルまたはプレイリストファイルであることを特徴とする請求項１６に記載の情報処理方法。
【請求項１８】
前記プレイリスト作成ステップは、
ＡＶＣＨＤフォーマットにおいて規定されるバーチャルプレイリストの作成処理を実行するステップであることを特徴とする請求項１０に記載の情報処理装置。
【請求項１９】
コンテンツを格納した内部記録メディアを有する情報処理装置において情報処理を実行させるコンピュータ・プログラムであり、
プレイリスト作成部に、前記内部記録メディアの格納コンテンツの再生順を定義したリストであるプレイリストを作成させるプレイリスト作成ステップを有し、
前記プレイリスト作成ステップは、
外部記録メディアをプレイリストの登録コンテンツの記録先として想定したプレイリスト作成処理を行うステップであり、
プレイリストに対する新規コンテンツの登録に際して、プレイリスト登録コンテンツの全てを前記外部記録メディアに記録可能か否かの容量判定を実行する容量判定ステップと、
前記容量判定ステップにおいて、記録可能であるとの判定を条件として、前記新規コンテンツをプレイリストに登録する登録ステップとを含むステップであることを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、メディア（情報記録媒体）間でコンテンツのコピー処理（アーカイブ）を行う情報処理装置、および情報処理方法、並びにコンピュータ・プログラムに関する。
【背景技術】
【０００２】
ビデオカメラの撮影データを記録する記録メディア（情報記録媒体）として、例えばハードディスク（ＨＤＤ）やフラッシュメモリ（ＦｌａｓｈＭｅｍｏｒｙ）が利用される。このような、ハードディスク（ＨＤＤ）やフラッシュメモリ（ＦｌａｓｈＭｅｍｏｒｙ）に記録されたコンテンツは、長期保存が可能な別メディア、例えばＤＶＤなどの記録メディアへコピー作業（アーカイブ）を行って保存用データとして残すといった処理がよく行われる。
【０００３】
しかしながら、データを長期保管するための主流のメディアとなっているＤＶＤは一般的な１２ｃｍのメディアでも、その記憶容量は４．７ＧＢ程度である。また、今後市場が拡大するＢｌｕ−ｒａｙ  Ｄｉｓｃ（登録商標）でも２５ＧＢや５０ＧＢといった容量であり、数１０ＧＢ以上の容量であるＨＤＤや今後大容量化が見込まれるＦｌａｓｈＭｅｍｏｒｙなどに比べると容量が小さい。そのため、ビデオカメラの内部記録メディスアとして設定されたＨＤＤやＦｌａｓｈＭｅｍｏｒｙに多くのコンテンツが記録されている場合、これらの記録コンテンツのすべてを１つのＤＶＤなどの外部記録メディアにアーカイブ、すなわちコピー記録することは不可能となる場合がある。
【０００４】
この対処方法としては、複数のアーカイブメディア（コピー先メディア）を利用して、ＨＤＤやＦｌａｓｈＭｅｍｏｒｙに記録されたコンテンツを複数のメディアに分割してアーカイブ（コピー記録）するか、あるいは、ＨＤＤやＦｌａｓｈＭｅｍｏｒｙに記録されたコンテンツから、編集や選別などによって本当に保管したいコンテンツのみを抽出し、アーカイブコンテンツを限定して、アーカイブコンテンツのデータ容量をアーカイブメディア（コピー先メディア）の記録容量に応じた容量にするという方法が考えられる。
【０００５】
しかし、後者の方法、すなわち、アーカイブコンテンツを限定して、アーカイブコンテンツのデータ容量をアーカイブメディア（コピー先メディア）の記録容量に応じた容量に調整するためには、ユーザは、コンテンツファイルの１つ１つのデータ容量を確認して、トータルが、記録先のアーカイブメディア（コピー先メディア）の記録容量になるようにコンテンツを選択するといった煩わしい処理を行わなければならない。
【０００６】
現在、商品化されているハードディスク（ＨＤＤ）を記録メディアとしたビデオカメラには、メディアの記録コンテンツの再生順を定義するプレイリスト機能を有するものがある。すなわち、コンテンツの再生順番リストとしてのプレイリストをユーザが作成し、ユーザの作成したプレイリストに設定された順番でコンテンツ再生を行わせるものである。また、ビデオカメラをＰＣと接続して、ビデオカメラに記憶済みのプレイリストに登録されているコンテンツのみをＤＶＤなどのアーカイブメディアに記録するという機能を有するものもある。
【０００７】
しかしながら、この既存システムにおけるプレイリスト機能はそもそもセットでの再生順番を任意に指定することを目的としており、アーカイブメディアの記録容量を考慮して作成されるものではない。従って、このプレイリストに従ってコンテンツをＤＶＤなどにアーカイブしようとすると、アーカイブに必要なメディアが複数枚、必要になることも多く、またユーザが意図しないところでコンテンツが分割されて複数のメディアに分けられて記録されてしまうなどの問題が発生する。
【発明の開示】
【発明が解決しようとする課題】
【０００８】
本発明は、例えば上述の問題点に鑑みてなされたものであり、アーカイブメディア（コピー先メディア）の記録可能容量を考慮したプレイリスト作成を行う情報処理装置、および情報処理方法、並びにコンピュータ・プログラムを提供することを目的とする。
【課題を解決するための手段】
【０００９】
本発明の第１の側面は、
情報処理装置であり、
コンテンツを格納する内部記録メディアと、
前記内部記録メディアの格納コンテンツの再生順を定義したリストであるプレイリストを作成するプレイリスト作成部を有し、
前記プレイリスト作成部は、
外部記録メディアをプレイリストの登録コンテンツの記録先として想定したプレイリスト作成処理を行う構成であり、
プレイリストに対する新規コンテンツの登録に際して、プレイリスト登録コンテンツの全てを前記外部記録メディアに記録可能か否かの容量判定を実行し、記録可能であるとの判定を条件として、前記新規コンテンツをプレイリストに登録することを特徴とする情報処理装置にある。
【００１０】
さらに、本発明の情報処理装置の一実施態様において、前記プレイリスト作成部は、前記外部記録メディアの残容量を取得または算出して、外部記録メディアの残容量と、前記新規コンテンツの容量とを比較する容量判定処理を実行する構成であることを特徴とする。
【００１１】
さらに、本発明の情報処理装置の一実施態様において、前記プレイリスト作成部は、プレイリストの登録済みコンテンツに対応して算出される前記外部記録メディアの使用容量を取得または算出して、前記新規コンテンツの容量を加算した全容量が、前記外部記録メディアの全容量を超えないか否かの容量判定処理を実行する構成であることを特徴とする。
【００１２】
さらに、本発明の情報処理装置の一実施態様において、前記プレイリスト作成部は、前記新規コンテンツの容量として、該新規コンテンツのコンテンツ実体データの容量と、該コンテンツ実体データに対応する管理情報の容量とを併せた容量を算出して前記容量判定処理を実行する構成であることを特徴とする。
【００１３】
さらに、本発明の情報処理装置の一実施態様において、前記プレイリスト作成部は、前記容量判定処理に適用するための外部記録メディアの残容量または使用容量情報を、前記内部記録メディアに記録された管理情報の格納データから取得または格納データを適用して算出する処理を実行する構成であることを特徴とする。
【００１４】
さらに、本発明の情報処理装置の一実施態様において、前記プレイリスト作成部は、プレイリストに対するコンテンツの登録または削除または編集により、プレイリスト登録コンテンツが更新された場合、プレイリスト更新に応じて前記管理情報の更新を実行する構成であることを特徴とする。
【００１５】
さらに、本発明の情報処理装置の一実施態様において、前記管理情報は、ＡＶＣＨＤフォーマットにおいて規定される管理情報であることを特徴とする。
【００１６】
さらに、本発明の情報処理装置の一実施態様において、前記管理情報は、ＡＶＣＨＤフォーマットにおいて規定されるインデックスファイルまたはプレイリストファイルであることを特徴とする。
【００１７】
さらに、本発明の情報処理装置の一実施態様において、前記プレイリスト作成部は、ＡＶＣＨＤフォーマットにおいて規定されるバーチャルプレイリストの作成処理を実行する構成であることを特徴とする。
【００１８】
さらに、本発明の第２の側面は、
コンテンツを格納した内部記録メディアを有する情報処理装置において実行する情報処理方法であり、
プレイリスト作成部が、前記内部記録メディアの格納コンテンツの再生順を定義したリストであるプレイリストを作成するプレイリスト作成ステップを有し、
前記プレイリスト作成ステップは、
外部記録メディアをプレイリストの登録コンテンツの記録先として想定したプレイリスト作成処理を行うステップであり、
プレイリストに対する新規コンテンツの登録に際して、プレイリスト登録コンテンツの全てを前記外部記録メディアに記録可能か否かの容量判定を実行する容量判定ステップと、
前記容量判定ステップにおいて、記録可能であるとの判定を条件として、前記新規コンテンツをプレイリストに登録する登録ステップとを含むステップであることを特徴とする情報処理方法にある。
【００１９】
さらに、本発明の情報処理方法の一実施態様において、前記容量判定ステップは、前記外部記録メディアの残容量を取得または算出して、外部記録メディアの残容量と、前記新規コンテンツの容量とを比較する容量判定処理を実行するステップであることを特徴とする。
【００２０】
さらに、本発明の情報処理方法の一実施態様において、前記容量判定ステップは、プレイリストの登録済みコンテンツに対応して算出される前記外部記録メディアの使用容量を取得または算出して、前記新規コンテンツの容量を加算した全容量が、前記外部記録メディアの全容量を超えないか否かの容量判定処理を実行するステップであることを特徴とする。
【００２１】
さらに、本発明の情報処理方法の一実施態様において、前記容量判定ステップは、前記新規コンテンツの容量として、該新規コンテンツのコンテンツ実体データの容量と、該コンテンツ実体データに対応する管理情報の容量とを併せた容量を算出して容量判定処理を実行するステップであることを特徴とする。
【００２２】
さらに、本発明の情報処理方法の一実施態様において、前記容量判定ステップは、前記容量判定処理に適用するための外部記録メディアの残容量または使用容量情報を、前記内部記録メディアに記録された管理情報の格納データから取得または格納データを適用して算出する処理を実行するステップを有することを特徴とする。
【００２３】
さらに、本発明の情報処理方法の一実施態様において、情報処理方法において、さらに、プレイリストに対するコンテンツの登録または削除または編集により、プレイリスト登録コンテンツが更新された場合、前記プレイリスト作成部が、プレイリスト更新に応じて前記管理情報の更新を実行することを特徴とする。
【００２４】
さらに、本発明の情報処理方法の一実施態様において、前記管理情報は、ＡＶＣＨＤフォーマットにおいて規定される管理情報であることを特徴とする。
【００２５】
さらに、本発明の情報処理方法の一実施態様において、前記管理情報は、ＡＶＣＨＤフォーマットにおいて規定されるインデックスファイルまたはプレイリストファイルであることを特徴とする。
【００２６】
さらに、本発明の情報処理方法の一実施態様において、前記プレイリスト作成ステップは、ＡＶＣＨＤフォーマットにおいて規定されるバーチャルプレイリストの作成処理を実行するステップであることを特徴とする。
【００２７】
さらに、本発明の第３の側面は、
コンテンツを格納した内部記録メディアを有する情報処理装置において情報処理を実行させるコンピュータ・プログラムであり、
プレイリスト作成部に、前記内部記録メディアの格納コンテンツの再生順を定義したリストであるプレイリストを作成させるプレイリスト作成ステップを有し、
前記プレイリスト作成ステップは、
外部記録メディアをプレイリストの登録コンテンツの記録先として想定したプレイリスト作成処理を行うステップであり、
プレイリストに対する新規コンテンツの登録に際して、プレイリスト登録コンテンツの全てを前記外部記録メディアに記録可能か否かの容量判定を実行する容量判定ステップと、
前記容量判定ステップにおいて、記録可能であるとの判定を条件として、前記新規コンテンツをプレイリストに登録する登録ステップとを含むステップであることを特徴とするコンピュータ・プログラムにある。
【００２８】
なお、本発明のコンピュータ・プログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００２９】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３０】
本発明の一実施例の構成によれば、コンテンツの再生順を規定したプレイリストの作成において、外部記録メディアをプレイリストの登録コンテンツの記録先として想定したプレイリスト作成処理を行い、プレイリストに対する新規コンテンツの登録に際して、プレイリスト登録コンテンツの全てを外部記録メディアに記録可能か否かの容量判定を実行し、記録可能であるとの判定を条件として、新規コンテンツをプレイリストに登録する。本構成により、プレイリスト登録コンテンツのアーカイブ（コピー処理）に際して、１つのＤＶＤなど１つの記録メディアに対して確実に記録することが可能となる。
【発明を実施するための最良の形態】
【００３１】
以下、図面を参照しながら本発明の情報処理装置、および情報処理方法、並びにコンピュータ・プログラムの詳細について説明する。
【００３２】
図１に本発明の一実施例に係る情報処理装置の構成を示す。図２は情報処理装置において実行するプレイリストの作成処理シーケンスを説明するフローチャートである。図１に示す情報処理装置のプレイリスト作成部１００は、例えば情報処理装置としてのビデオカメラに設けられるプレイリスト作成部であり、例えばハードディスク（ＨＤＤ）やフラッシュメモリ（ＦｌａｓｈＭｅｍｏｒｙ）によって構成される内部記録メディア１１０に格納されたコンテンツに対応するプレイリストの作成を行う。
【００３３】
プレイリスト作成部１００は、内部記録メディア１１０に格納されたコンテンツの再生順序情報としてのプレイリストの作成処理を行う。本発明に係る情報処理装置は、プレイリスト作成処理において、アーカイブメディア（コピー先メディア）である外部記録メディア１２１の記録可能容量を考慮した処理を行う。
【００３４】
図１に示すように、本発明の一実施例に係る情報処理装置は、ユーザ入力部１０１、コンテンツ容量取得部１０２、記録先メディア必要容量算出部１０３、記録先メディア残容量算出部１０４、メディアインタフェース（Ｉ／Ｆ）１０５、記録可否判定部１０６、データ記録更新処理部１０７、出力部１０８、内部記録メディア１１０を有する。アーカイブメディア（コピー先メディア）である外部記録メディア１２１は、内部記録メディア１１０の格納コンテンツのコピー先として、図１に示す情報処理装置に装着されるメディアであり、例えばＤＶＤなどのメディアである。ユーザ入力部１０１、出力部１０８は、例えばビデオカメラに備えられたディスプレイを含むユーザインタフェース（ＵＩ）などによって構成される。
【００３５】
プレイリスト作成部１００には、コンテンツ容量取得部１０２、記録先メディア必要容量算出部１０３、記録先メディア残容量算出部１０４、記録可否判定部１０６、データ記録更新処理部１０７が含まれる。
【００３６】
なお、図に示す構成では、情報処理装置がメディアＩ／Ｆ１０５を有し、外部記録メディア１２１を装着可能な構成例として示しているが、例えばケーブル出力などによってＤＶＤ記録装置、ＰＣなどの他の装置に接続して、アーカイブコンテンツを、ケーブルを介して出力する構成としてもよい。
【００３７】
図１の構成を参照しながら、図２に示すフローチャートに従ってプレイリストの作成処理シーケンスについて説明する。ステップＳ１０１は、外部記録メディアの残用量、および指定コンテンツ情報を取得するステップである。
【００３８】
まず、プレイリストの作成を行う前に、アーカイブメディア（コピー先メディア）として選択された外部記録メディアの残用量情報と、実際にアーカイブしたいコンテンツの選択情報を取得する。
【００３９】
外部記録メディアの残用量情報は、ユーザによる入力部１０１を介する情報入力、あるいは、記録先メディア残容量算出部１０４が、メディアインタフェース（Ｉ／Ｆ）１０５を介して装着された外部記録メディア１２１の残容量情報を取得、あるいは、内部記録メディア１１０の格納コンテンツに対応して内部記録メディア１１に記録されている管理情報から取得、または算出する構成としてもよい。内部記録メディア１１０に記録されている管理情報から記録先メディア残用量を算出する処理例については後段で説明する。
【００４０】
ユーザによる入力部１０１を介する情報入力の場合は、例えば、ユーザインタフェースとしてのディスプレイに図３に示すように、複数種類のメディア情報を提示して、ユーザに選択させる構成としてもよい。すなわち、
（ａ）ＤＶＤ（１２ｃｍ，  ４．７ＧＢ），
（ｂ）ＤＶＤ（８ｃｍ，  １．４ＧＢ），
（ｃ）ＢＤ（１２ｃｍ，  ２５ＧＢ）、
このようなメディア情報リストを提示して、アーカイブメディア（コピー先メディア）とするメディアを選択させて、その選択情報を入力してもよい。なお、ＢＤは、Ｂｌｕ−ｒａｙ  Ｄｉｓｃを意味する。
あるいは、ユーザに直接、メディア容量の数値を入力させる構成としてもよい。
【００４１】
このように、ステップＳ１０１では、外部記録メディアの残用量情報を、
ユーザ入力、または、
メディアインタフェース（Ｉ／Ｆ）１０５を介して装着された外部記録メディア１２１の残容量情報の取得、あるいは、
内部記録メディア１１０の格納コンテンツに対応して内部記録メディア１１に記録されている管理情報から取得または算出、
これらの処理のいずれかによって取得する。これによってそのプレイリストに登録できるデータ量が確定する。このサイズを記録メディア残容量（記録可能容量）とする。
【００４２】
さらに、ステップＳ１０１では、入力部１０１を介するユーザ入力により、実際にアーカイブしたいコンテンツの選択情報を取得する。
【００４３】
次に、ステップＳ１０２において、指定コンテンツのデータ容量を取得する。この処理は、図１に示すコンテンツ容量取得部１０２の処理として実行される。内部記録メディア１１０は、予め設定された所定のフォーマットでデータが記録され、このデータ中からコンテンツのデータ容量情報を取得する。
【００４４】
内部記録メディア１１０に格納されるデータフォーマットの例として、ハイビジョンデータ、すなわちＨＤ（Ｈｉｇｈ−Ｄｅｆｉｎｉｔｉｏｎ）デジタルデータの記録フォーマットであるＡＶＣＨＤフォーマットに従ったデータ記憶を行った場合のディレクトリ構成例について図４を参照して説明する。
【００４５】
ＡＶＣＨＤフォーマットは、例えば、ビデオカメラで撮影した動画像ストリームをＭＰＥＧ２−ＴＳストリームに符号化して記録するフォーマットであり、階層型のデータ管理構成を持つ。
【００４６】
このＡＶＣＨＤフォーマットには、
コンテンツタイトルなどのインデックス情報を持つインデックス（ｉｎｄｅｘ）、
コンテンツ再生プログラムなどを格納したムービーオブジェクト（ＭｏｖｉｅＯｂｊｅｃｔ）、
再生順序情報としてのプレイリスト（ＰｌａｙＬｉｓｔ）、
再生位置情報などを含むクリップ情報（ＣｌｉｐＩｎｆｏｒｍａｔｉｏｎ）、
実コンテンツデータに相当するクリップＡＶストリーム（ＣｌｉｐＡＶＳｔｒｅａｍ）、
これらの各ファイルが含まれる。
【００４７】
このＡＶＣＨＤフォーマットにおいては、記録された実データは、クリップＡＶストリーム（ＣｌｉｐＡＶＳｔｒｅａｍ）ファイル、図に示す［ｘｘｘｘ．ＭＴＳ］に記録され、この実データに対応する管理情報などが、インデックス（ｉｎｄｅｘ）、ムービーオブジェクト（ＭｏｖｉｅＯｂｊｅｃｔ）、プレイリスト（ＰｌａｙＬｉｓｔ）、クリップ情報（ＣｌｉｐＩｎｆｏｒｍａｔｉｏｎ）の各管理情報ファィルに記録される設定とされている。
【００４８】
図４に示すようにルートディレクトリの下に、ディレクトリ［ＡＶＣＨＤ］、［ＢＤＭＶ］が設定され、ディレクトリ［ＢＤＭＶ］の下に、インデックスファイル［ｉｎｄｅｘ．ｂｄｍｖ］およびムービーオブジェクトファイル［ＭｏｖｉｅＯｂｊｅｃｔ．ｂｄｍｖ］、プレイリストディレクトリ［ＰＬＡＹＬＩＳＴ］、クリップ情報ディレクトリ［ＣＬＩＰＩＮＦ］、ストリームディレクトリ［ＳＴＲＥＡＭ］が置かれる。
【００４９】
プレイリストディレクトリ［ＰＬＡＹＬＩＳＴ］には、プレイリストとして、リアルプレイリスト（実プレイリスト）とバーチャルプレイリスト（仮想プレイリスト）の２種類のプレイリストの設定が可能である。
【００５０】
リアルプレイリストは、オリジナル・タイトル用のプレイリストであり、ビデオカメラにより録画・撮影した映像ストリームについてのプレイアイテムを記録した順に再生順を定義したプレイリストである。
【００５１】
バーチャルプレイリストは、ユーザが自由に作成できるプレイリストである。図２に示すフローに従って作成するプレイリストはこのバーチャルプレイリストである。本発明の情報処理装置では、このバーチャルプレイリストの作成に際して、アーカイブメディア（コピー先メディア）である外部記録メディア１２１の記録可能容量を考慮した処理を行う。
【００５２】
図２の処理フローの説明に戻る。ステップＳ１０２において、図１に示すコンテンツ容量取得部１０２が、ユーザがアーカイブ対象として指定したコンテンツのデータ容量を内部記録メディア１１０の格納情報から取得すると、次にステップＳ１０３において、コンテンツのデータ容量に基づいて、記録先メディアの必要容量を算出する処理を実行する。この処理は、図１に示す記録先メディア必要容量算出部１０３の処理として実行される。
【００５３】
記録先メディアの必要容量は、ステップＳ１０２で取得したコンテンツのデータ容量にほぼ等しい。ただし、図４を参照して説明したように、アーカイブする際には、コンテンツの実体データのみならず、そのコンテンツ対応の管理情報などの記録も必要となり、ステップＳ１０２で取得したコンテンツのデータ容量よりやや大きい容量が実際には必要となる。ただし管理情報ファイルの増加分はコンテンツ実体に比較すると極端に小さいので、
記録先メディアの必要容量＝コンテンツのデータ容量
として算出してもよい。
あるいは、管理情報の増加分を考慮して、予め設定した容量値［α］を適用し、
記録先メディアの必要容量＝コンテンツのデータ容量＋α、
として算出する構成としてもよい。
【００５４】
次にステップＳ１０４に進み、ステップＳ１０３で求めた記録先メディアの必要容量と、外部記録メディアの残用量（記録可能容量）との比較を行う。なお、外部記録メディアの残用量は、ステップＳ１０１において取得または算出されたデータであり、ユーザ入力、あるいは装着された外部記録メディア１２１から取得、あるいは内部記録メディア１１０に記録された管理情報の記録データから取得または算出したデータである。内部記録メディア１１０に記録されている管理情報から記録先メディア残用量（記録可能容量）を算出する処理例については後段で説明する。
【００５５】
このステップＳ１０４の記録先メディアの必要容量と、外部記録メディアの残用量（記録可能容量）との比較処理は、図１に示す記録可否判定部１０５の処理として実行される。すなわち、外部記録メディアの残用量が、ステップＳ１０３で求めた記録先メディアの必要容量より大きいか否かを判定する。具体的には、
外部記録メディアの残用量（記録可能容量）＞記録先メディアの必要容量
上記式が成立するか否かを判定する。
【００５６】
記録可否判定部１０５は、上記式が成立すれば、ユーザ指定コンテンツは、外部記録メディア１２１に記録可能であり、上記式が成立しない場合は、ユーザ指定コンテンツの外部記録メディア１２１に対する記録はできないと判断する。
【００５７】
上記式が成立しない場合は、ステップＳ１０８に進み、容量オーバーによりプレイリスト登録できないコンテンツであることを通知する。例えば図１に示す出力部１０８を構成するディスプレイに容量オーバーによりプレイリスト登録できないコンテンツであることを示すメッセージデータを表示する処理などを行う。
【００５８】
一方、上記式が成立しユーザ指定コンテンツが外部記録メディア１２１に記録可能であると判断すると、ステップＳ１０５〜Ｓ１０７の処理を実行する。ステップＳ１０５，Ｓ１０６、Ｓ１０７の処理は、図１に示すデータ記録更新処理部１０７の処理として実行される。
【００５９】
まず、ステップＳ１０５において、ユーザの指定コンテンツをプレイリストに登録する。このプレイリストは、例えば先に図４を参照して説明したＡＶＣＨＤフォーマットにおけるバーチャルプレイリストである。このバーチャルプレイリストに、ユーザの指定コンテンツを再生指定コンテンツとして登録する処理を行う。
【００６０】
その後、ステップＳ１０６において、記録メディア残用量（記録可能容量）から、プレイリスト登録コンテンツの容量（必要容量）を減算し、記録メディア残用量（記録可能容量）の更新値を算出する。データ記録更新処理部１０７は、この更新値を内部記録メディア１１０の管理情報中に記録する。管理情報とは、内部記録メディア１１０に記録されているコンテンツに対応する管理情報、例えば、インデックスファイルやプレイリストである。
【００６１】
なお、管理情報として記録するデータは、記録メディア残用量（記録可能容量）の更新値そのものでもよいし、記録メディア残用量（記録可能容量）の値を算出可能なデータ、例えば外部記録メディアに記録されているコンテンツ数と各コンテンツ容量（サイズ）等のデータであってもよい。管理情報中に記録するデータの構成およびその利用例については後段で詳細説明する。
【００６２】
その後、ステップＳ１０７においてプレイリスト登録完了をユーザに通知する。例えば図１に示す出力部１０８にプレイリスト登録完了を示すメッセージを表示して処理を終了する。
【００６３】
このように、本発明の情報処理装置では、プレイリストの作成に際して、特定の外部記録メディア、すなわちアーカイブ（コピー先）メディアを想定し、その外部記録メディアの残用量（記録可能容量）と、プレイリストに登録するコンテンツを記録するために必要となるデータサイズとを比較して、外部記録メディアの残用量（記録可能容量）が、コンテンツを記録するために必要となるデータサイズより大きいか否かを確認し、大きいことが確認されたことを条件としてプレイリストへの登録を行う構成としている。この処理によって、プレイリスト登録コンテンツをまとめて特定の外部記録メディアに確実に記録、すなわちアーカイブ（コピー）することが可能となる。
【００６４】
また、インデックスファイルやプレイリストなどの管理情報中に記録メディア残用量（記録可能容量）、または、記録メディア残用量を算出可能なデータを記録し、新たなコンテンツのプレイリストへの登録に際しては、登録されたコンテンツの記録に必要なデータサイズを記録メディア残容量から引き算して更新した新たな記録メディア残用量、またはこの更新値を算出可能なデータを内部記録メディア１１０に記録されたコンテンツ対応の管理情報、すなわち、インデックスファイルやプレイリストなどの管理情報に記録する。この処理は、プレイリストに対する新たなコンテンツの登録処理ごとに実行する。
【００６５】
新たにユーザによってプレイリスト登録候補として選択されたコンテンツのデータサイズが、インデックスファイルやプレイリストなどの管理情報の記録データから取得または算出される記録メディア残用量より大きくなってしまった場合には、その旨をユーザに通知し、そのコンテンツはプレイリストには登録しない。
【００６６】
なお、前述したように、記録メディア残用量（記録可能容量）は、図２に示すステップＳ１０１において入力または取得されるが、すでに作成済みのプレイリストに新たなコンテンツを追加登録する場合には、内部記録メディア１１０に記録済みのプレイリストに対応する管理情報の記録データから記録メディア残用量を取得または算出して、取得または算出した記録メディア残用量と、ユーザによってプレイリスト登録候補として選択されたコンテンツのデータサイズとの比較を行う。すなわち、
管理情報の記録データから取得または算出した外部記録メディアの残用量＞記録先メディアの必要容量
上記式が成立するか否かを判定する。
【００６７】
記録可否判定部１０５は、上記式が成立すれば、ユーザ指定コンテンツは、外部記録メディア１２１に記録可能であり、上記式が成立しない場合は、ユーザ指定コンテンツは、外部記録メディア１２１に記録できないと判断する。上記式が成立しない場合は、ステップＳ１０８に進み、容量オーバーによりプレイリスト登録できないコンテンツであることを通知する。例えば図１に示す出力部１０８を構成するディスプレイに容量オーバーによりプレイリスト登録できないコンテンツであることを示すメッセージデータを表示する処理などを行う。
【００６８】
一方、上記式が成立し、ユーザ指定コンテンツが外部記録メディア１２１に記録可能であると判断すると、ステップＳ１０５〜Ｓ１０７の処理を実行する。ステップＳ１０５，Ｓ１０６、Ｓ１０７の処理は、図１に示すデータ記録更新処理部１０７の処理として実行される。この場合、ステップＳ１０６において、新たなユーザ指定コンテンツのプレイリスト登録前の記録メディア残用量（記録可能容量）の更新処理を実行して、更新データを内部記録メディア１１０に記録済みのプレイリストに対応する管理情報の記録データとして記録する。
【００６９】
すなわち、新たなユーザ指定コンテンツのプレイリスト登録前の記録メディア残用量（記録可能容量）から、プレイリスト登録コンテンツの容量（必要容量）を減算し、記録メディア残用量の更新値を算出する。データ記録更新処理部１０７は、この更新値を内部記録メディア１１０の管理情報中に記録する。管理情報とは、内部記録メディア１１０に記録されているコンテンツに対応する管理情報、例えば、インデックスファイルやプレイリストである。
【００７０】
なお、管理情報に記録されるデータは、記録メディア残用量（記録可能容量）の値自体であってもよいし、記録メディア残用量を算出可能なデータでもよく、管理情報の更新処理は、記録されたデータに応じて実行する。
【００７１】
また、すでにユーザによって作成されたプレイリストに登録されているコンテンツをプレイリストから消去あるいは編集などによって一部を削除した場合は、記録メディア残用量（記録可能容量）が増加することになるので、データ記録更新処理部１０７は、現在の記録メディア残用量に消去、削除されたデータサイズ分を加算して、新たな記録メディア残用量を算出する更新処理を実行して、更新データを内部記録メディア１１０に記録済みのプレイリストに対応する管理情報の記録データとして記録する。
【００７２】
このようにして、本発明の情報処理装置は、特定のアーカイブメディアを想定して、そのメディア容量以下に収まる分のデータ容量となるコンテンツを登録したプレイリストを作成する。この方法によって作成されたプレイリストを従来の機器同様に利用してアーカイブ処理を行うことで、プレイリスト登録コンテンツを確実に１つの記録メディアに記録することが可能となる。
【００７３】
次に、図５以下を参照して、図２に示すフローにおけるステップＳ１０５、ステップＳ１０６の処理の具体例について説明する。すなわち、
ステップＳ１０５におけるプレイリストに対するコンテンツ登録処理、
ステップＳ１０６における記録メディア残用量（記録可能容量）の算出用データを管理情報中に記録または更新する処理、
これらの処理の詳細について説明する。
【００７４】
まず、ステップＳ１０５におけるプレイリストに対するコンテンツ登録処理の具体的処理例について、図５を参照して説明する。図５を参照して説明するプレイリストに対するコンテンツ登録処理例は、ビデオカメラで採用されているプレイリスト機能が複数のプレイリストを同時に管理できる設定とした場合の処理例である。例えば先に図４を参照して説明したＡＶＣＨＤフォーマットでは複数のプレイリストを同時に管理できる。
【００７５】
すなわち、ＡＶＣＨＤフォーマットでは、プレイリストとして、リアルプレイリスト（実プレイリスト）とバーチャルプレイリスト（仮想プレイリスト）の２種類のプレイリストの設定が可能である。リアルプレイリストは、オリジナル・タイトル用のプレイリストであり、ビデオカメラにより録画・撮影した映像ストリームについてのプレイアイテムを記録した順に再生順を定義したプレイリストである。
【００７６】
バーチャルプレイリストは、ユーザが自由に作成できるプレイリストである。例えば、
バーチャルプレイリストａ：４．７ＧＢ−ＤＶＤ用プレイリスト、
バーチャルプレイリストｂ：１．４ＧＢ−ＤＶＤ用プレイリスト、
バーチャルプレイリストｃ：２５ＧＢ−ＢＤ用プレイリスト、
このようにバーチャルプレイリストを特定の外部記録メディア対応のプレイリストとして設定することが可能である。
【００７７】
情報処理装置の設定した複数のプレイリスト中、あるプレイリストは従来どおりに容量を勘案しないプレイリスト、すなわちビデオカメラなどの情報処理装置内での再生のみを目的とするプレイリストとして設定してもよい。大量のコンテンツをユーザの意思で複数のメディアに保管するといった場合に、ユーザが自由に編集してこれらを作成することが可能となる。
【００７８】
図５に示す例は、図５（Ａ）に示すプレイリストが、従来どおりに容量を勘案しないプレイリスト、すなわちビデオカメラなどの情報処理装置内での再生のみを目的とするプレイリスト（リアルプレイリスト）であり、図５（Ｂ）に示すプレイリストがユーザの作成するバーチャルプレイリストである。このバーチャルプレイリストは、４．７ＧＢ−ＤＶＤ用プレイリストとして作成する。
【００７９】
このバーチャルプレイリストの作成に際して、ユーザはこのバーチャルプレイリストに登録するコンテンツを選択する。なお、図に示す［ｃｈａｐｎ］は、チャプタｎの意味であり、コンテンツｎに相当する。ＡＶＣＨＤフォーマットでは、コンテンツ単位をチャプタとして設定してある。また、各コンテンツ［ｃｈａｐ］の長さは、コンテンツのデータ量に対応させて示している。
【００８０】
バーチャルプレイリストに新たに登録するコンテンツ（チャプタ）の選択処理に際しては、図５（Ａ）に示すリアルプレイリストを利用することが可能である。リアルプレイリストは、前述したようにビデオカメラにより録画・撮影した映像ストリームについてのプレイアイテムを記録した順に再生順を定義したプレイリストであり、ビデオカメラによる録画・撮影処理に際して自動的に記録、更新される。
【００８１】
ユーザは、このリアルプレイリストに登録されたコンテンツ情報を出力部１０８としてのディスプレイに表示し、表示情報から、図５（Ｂ）に示す特定の外部記録メディア対応のバーチャルプレイリストに登録するコンテンツを選択することができる。このコンテンツ選択がなされた後、先に図２を参照して説明したフローに従った処理が実行されることになる。
【００８２】
例えば図５（Ｂ）に示すようにバーチャルプレイリストにすでに登録済みのコンテンツが、
コンテンツ３（ｃｈａｐ３）、
コンテンツ４（ｃｈａｐ４）、
コンテンツ１（ｃｈａｐ１）、
コンテンツ６（ｃｈａｐ６）、
コンテンツ８（ｃｈａｐ８）、
と設定されているとき、新たな登録コンテンツとしてユーザが、コンテンツ７（ｃｈａｐ７）を選択したとする。
【００８３】
図５（Ｃ）は、このときの処理例を説明する図である。図５（Ｃ）には、４．７ＧＢ−ＤＶＤのデータ全体と、図５（Ｂ）に示すバーチャルプレイリストの登録コンテンツのデータ容量とを示している。なお、先頭のデータ領域３０１は、コンテンツ実体以外の管理情報ファイルの記録領域である。
【００８４】
この場合、図５（Ｂ）に示す特定の外部記録メディア対応のバーチャルプレイリストは、４．７ＧＢ−ＤＶＤ用のバーチャルプレイリストであり、すでに複数のコンテンツが登録済みとなっている。このときの外部記録メディアの残用量（記録可能容量）は、図５（Ｃ）に示す領域３０２に相当する。この外部記録メディアの残用量（記録可能容量）の値は、内部記録メディア１１０の記録データから取得または算出される。すなわち、図５（Ｂ）に示すバーチャルプレイリストに対応して設定される管理情報中に記録されているデータから取得または算出される。
【００８５】
プレイリスト作成部は、図２に示すフローのステップＳ１０４の処理として、
管理情報から取得または算出した外部記録メディアの残用量＞記録先メディアの必要容量
上記式が成立するか否かを判定する。
例えば、図５に示す例では、
外部記録メディアの残用量＝ｘＧＢ
であり、
ユーザの選択コンテンツであるコンテンツ７（ｃｈａｐ７）の記録処理に必要とする記録先メディアの必要容量がｘＧＢより大きい場合、
管理情報から取得または算出した外部記録メディアの残用量＞記録先メディアの必要容量
上記式が成立しないことになる。
この場合は、ステップＳ１０８に進み、容量オーバーによりプレイリスト登録できないコンテンツであることを通知する。例えば図１に示す出力部１０８を構成するディスプレイに容量オーバーによりプレイリスト登録できないコンテンツであることを示すメッセージデータを表示する処理などを行う。
【００８６】
なお、先に説明したように、記録先メディアの必要容量は、
記録先メディアの必要容量＝コンテンツのデータ容量
として算出してもよいが、コンテンツの実体データのみならず、そのコンテンツ対応の管理情報などの容量の増加分を考慮して、予め設定した容量値［α］を適用し、
記録先メディアの必要容量＝コンテンツのデータ容量＋α、
として算出する構成としてもよい。
【００８７】
コンテンツ７（ｃｈａｐ７）を新規登録コンテンツとして選択した場合は、このように登録できないコンテンツであることを示すメッセージデータを表示する処理が実行され、追加登録はできない。
【００８８】
一方、新たな登録コンテンツとしてユーザが、コンテンツ９（ｃｈａｐ９）を選択した場合は、ユーザの選択コンテンツであるコンテンツ９（ｃｈａｐ９）の記録処理に必要とする記録先メディアの必要容量がｘＧＢ以下であり、
管理情報から取得または算出した外部記録メディアの残用量＞記録先メディアの必要容量
上記式が成立する。
【００８９】
この場合は、図２に示すフローのステップＳ１０４の判定が［Ｙｅｓ］となり、ステップＳ１０５〜Ｓ１０７の処理が行われる。すなわち、ステップＳ１０５において、コンテンツ９（ｃｈａｐ９）を、図５（Ｂ）に示すバーチャルプレイリストに追加登録し、さらに、ステップＳ１０６において、内部記録メディア１１０に記録されているコンテンツに対応する管理情報、例えば、インデックスファイルやプレイリストに登録されている記録メディア残用量（記録可能容量）またはその算出用データの更新を行う。
【００９０】
すなわち、プレイリストに新たに登録されたコンテンツの容量（必要容量）を、現在の記録メディア残用量（記録可能容量）から減算し、新たな記録メディア残用量を算出して管理情報中に記録する。あるいは管理情報として記録メディア残用量を算出するためのデータが記録されている場合はそのデータの更新を行う。
【００９１】
次に、図６〜図１０を参照して、ＡＶＣＨＤフォーマットに従った管理情報中に記録メディア残用量情報の算出用データを記録する具体例について説明する。記録メディア残用量情報、または、その算出用データは、例えば、ＡＶＣＨＤフォーマットにおいて管理情報として規定されるインデックスファイルやプレイリストファイルに記録可能である。
【００９２】
まず、図６、図７を参照して、ＡＶＣＨＤフォーマットにおいて管理情報として規定されるインデックスファイルに記録メディア残用量情報、または、その算出用データを記録する例について説明する。
【００９３】
図６（ａ）は、ＡＶＣＨＤフォーマットにおいて管理情報として規定されるインデックスファイル全体を示すシンタクスである。このインデックスファイル中に設定されるエクステンションデータ領域（ｂｌｋＥｘｔｅｎｔｉｏｎＤａｔａ）の詳細構成が図６（ｂ）に示すデータである。
【００９４】
さらに、図６（ｂ）に示すエクステンションデータ領域（ｂｌｋＥｘｔｅｎｔｉｏｎＤａｔａ）に設定されるデータブロック領域（ＤａｔａＢｌｏｃｋ）の詳細構成が図７（ｃ）に示すデータである。さらに図７（ｃ）に示すデータブロック領域（ＤａｔａＢ；ｏｃｋ）中に設定されるメーカープライベートデータ領域（ｂｌｋＭａｋｅｒｓＰｒｉｖａｔｅＤａｔａ）の詳細構成が、図７（ｄ）に示すデータである。
【００９５】
図７（ｄ）に示すメーカープライベートデータ領域（ｂｌｋＭａｋｅｒｓＰｒｉｖａｔｅＤａｔａ）は、ＡＶＣＨＤフォーマットに従ったデータ記録再生処理を実行する装置のメーカーが自由に利用できるデータ記録領域であり、このメーカープライベートデータ領域（ｂｌｋＭａｋｅｒｓＰｒｉｖａｔｅＤａｔａ）に設定される特定のデータブロック（ＤａｔａＢｌｏｃｋ）を、記録メディア残用量（記録可能容量）または、その算出用データの記録領域として利用することができる。
【００９６】
図１に示すプレイリスト作成部１００のデータ記録更新処理部１０７は、図２に示すステップＳ１０６において、内部記録メディア１１０内に記録されたＡＶＣＨＤフォーマットに従ったインデックスファイルを取得して、インデックスファイル中の図７（ｄ）に示すメーカープライベートデータ領域（ｂｌｋＭａｋｅｒｓＰｒｉｖａｔｅＤａｔａ）の特定のデータブロックに、各バーチャルプレイリストファイルに対応する記録メディア残用量（記録可能容量）または、その算出用データを記録し、更新する処理を行う。
【００９７】
また、ステップＳ１０４の容量比較処理、すなわち、
管理情報から取得または算出した外部記録メディアの残用量＞記録先メディアの必要容量
この容量比較処理を実行する際には、インデックスファイルを取得して、インデックスファイル中の図７（ｄ）に示すメーカープライベートデータ領域（ｂｌｋＭａｋｅｒｓＰｒｉｖａｔｅＤａｔａ）の特定のデータブロックに記録されたバーチャルプレイリストファイルに対応する記録メディア残用量（記録可能容量）情報を取得、または、その算出用データから算出して上記式に従った容量比較処理を実行する。
【００９８】
なお、複数のプレイリストが設定されている場合、記録メディア残用量（記録可能容量）情報は、各プレイイリストファイルに対応して記録されることになるので、それぞれの記録メディア残用量情報またはその算出用データがどのプレイリストファイルに対応する情報かを示す識別情報をあわせて記録することが必要である。
【００９９】
図６、図７では、記録メディア残用量（記録可能容量）情報、またはその算出用データをインデックスファイル中に記録する例を説明したが、この情報は、例えばプレイリストファイルに記録してもよい。この場合、個々のプレイリストに対応して、設定されるプレイリストファイルに固有の記録メディア残用量情報、または、その算出用データが記録される。
【０１００】
図８（ａ）は、ＡＶＣＨＤフォーマットにおいて管理情報として規定されるプレイリストファイル全体を示すシンタクスである。このプレイリストファイル中に設定されるエクステンションデータ領域（ｂｌｋＥｘｔｅｎｔｉｏｎＤａｔａ）の詳細構成が図８（ｂ）に示すデータである。
【０１０１】
さらに、図８（ｂ）に示すエクステンションデータ領域（ｂｌｋＥｘｔｅｎｔｉｏｎＤａｔａ）に設定されるデータブロック領域（ＤａｔａＢ；ｏｃｋ）の詳細構成が図９（ｃ）に示すデータである。さらに図９（ｃ）に示すデータブロック領域（ＤａｔａＢ；ｏｃｋ）中に設定されるメーカープライベートデータ領域（ｂｌｋＭａｋｅｒｓＰｒｉｖａｔｅＤａｔａ）の詳細が、図９（ｄ）に示すデータである。
【０１０２】
図９（ｄ）に示すメーカープライベートデータ領域（ｂｌｋＭａｋｅｒｓＰｒｉｖａｔｅＤａｔａ）は、ＡＶＣＨＤフォーマットに従ったデータ記録再生処理を実行する装置のメーカーが自由に利用できるデータ記録領域であり、このメーカープライベートデータ領域（ｂｌｋＭａｋｅｒｓＰｒｉｖａｔｅＤａｔａ）に設定される特定のデータブロック（ＤａｔａＢｌｏｃｋ）を、記録メディア残用量（記録可能容量）または、その算出用データの記録領域として利用することができる。
【０１０３】
図１に示すプレイリスト作成部１００のデータ記録更新処理部１０７は、図２に示すステップＳ１０６において、内部記録メディア１１０内に記録されたＡＶＣＨＤフォーマットに従ったプレイリストファイルを取得して、プレイリストファイル中の図９（ｄ）に示すメーカープライベートデータ領域（ｂｌｋＭａｋｅｒｓＰｒｉｖａｔｅＤａｔａ）の特定のデータブロックに、各バーチャルプレイリストファイルに対応する記録メディア残用量（記録可能容量）または、その算出用データを記録し、更新する処理を行う。
【０１０４】
また、ステップＳ１０４の容量比較処理、すなわち、
管理情報から取得または算出した外部記録メディアの残用量＞記録先メディアの必要容量
この容量比較処理を実行する際には、プレイリストファイルを取得して、プレイリストスファイル中の図９（ｄ）に示すメーカープライベートデータ領域（ｂｌｋＭａｋｅｒｓＰｒｉｖａｔｅＤａｔａ）の特定のデータブロックに記録されたバーチャルプレイリストファイルに対応する記録メディア残用量（記録可能容量）情報を取得、または算出用データに基づいて算出して上記式に従った容量比較処理を実行する。
【０１０５】
インデックスファイルまたはプレイリストファイル中のメーカープライベートデータ領域（ｂｌｋＭａｋｅｒｓＰｒｉｖａｔｅＤａｔａ）内のデータブロックに記録される記録メディア残用量（記録可能容量）の算出用データの記録データ例について図１０を参照して説明する。
【０１０６】
インデックスファイルまたはプレイリストファイル中のメーカープライベートデータ領域（ｂｌｋＭａｋｅｒｓＰｒｉｖａｔｅＤａｔａ）内のデータブロックには、例えば、図１０に示すようなデータ、すなわち以下のデータが記録される。
ＴｙｐｅＩｎｄｉｃａｔｏｒ：データ種別を規定するデータ、
ＮｕｍＯｆＣｏｎｔｅｎｔｓ：登録されている総コンテンツ数、
ＳｕｍＯｆＳｔｒｅａｍＦｉｌｅＳｉｚｅ：登録されている全コンテンツのストリームファイルサイズ合計、
ＳｉｚｅＯｆＩｎｄｅｘＴａｂｅｌＦｉｌｅ：ＩＮＤＥＸ．ＢＤＭファイルのサイズ、
ＳｉｚｅＯｆＭｏｖｉｅｏｂｊＦｉｌｅ：ＭＯＶＩＥＯＢＪ．ＢＤＭファイルのサイズ、
ＮｕｍＯｆＭｏｖｉｅＰｌａｙＬｉｓｔＦｉｌｅｓ：生成されるプレイリストの数、
ＳｉｚｅＯｆＰｌａｙＬｉｓｔＦｉｌｅ：プレイリストファイルのサイズ、
ＮｕｍＯｆＣｏｎｔｅｎｔｓＩｎＰｌａｙＬｉｓｔ：プレイリストに登録されているコンテンツ数、
ＳｉｚｅＯｆＣｌｉｐＩｎｆｏＦｉｌｅ：登録されているコンテンツのＣｌｉｐＩｎｆｏファイルのサイズ、
ＳｉｚｅＯｆＳｔｒｅａｍＦｉｌｅ：登録されているコンテンツのＳｔｒｅａｍファイルのサイズ、
【０１０７】
図１０に示すデータ、すなわち上記データは、記録メディア残用量（記録可能容量）の算出用データとして適用可能なデータである。インデックスファイルまたはプレイリストファイル中のメーカープライベートデータ領域（ｂｌｋＭａｋｅｒｓＰｒｉｖａｔｅＤａｔａ）内のデータブロックは、ＡＶＣＨＤフォーマットに従ったデータ記録再生処理を実行する装置のメーカーが自由に利用できるデータ記録領域であり、このデータブロック（ＤａｔａＢｌｏｃｋ）に、図１０に示す上記データ、すなわち記録メディア残用量（記録可能容量）の算出用データを記録する。
【０１０８】
なお、図１０に示す例は、記録メディア残用量（記録可能容量）の算出用データをインデックスファイルまたはプレイリストファイル中のメーカープライベートデータ領域（ｂｌｋＭａｋｅｒｓＰｒｉｖａｔｅＤａｔａ）内のデータブロックに記録した例であるが、このような算出用データとしてではなく、記録メディア残用量の値自体をデータブロック中に記録する設定としてもよい。
【０１０９】
記録メディア残用量（記録可能容量）に変更があった場合、すなわち、プレイリストに対する新規コンテンツの登録や削除があった場合は、図１に示すプレイリスト作成部１００のデータ記録更新処理部１０７は、この管理情報中の記録データを更新する処理を実行する。例えば、図２に示すステップＳ１０６において、このデータブロック（ＤａｔａＢｌｏｃｋ）の記録データを更新する。
【０１１０】
図２に示すステップＳ１０１では、最新の記録メディア残用量（記録可能容量）が管理情報中の記録データに基づいて取得または算出され、ステップＳ１０４の容量比較処理、すなわち、
管理情報から取得または算出した外部記録メディアの残用量＞記録先メディアの必要容量
この容量比較処理を実行する際には、管理情報中の記録データに基づいて取得または算出された最新の外部記録メディアの残用量の値が適用されて容量比較処理が実行されることになる。
【０１１１】
図１０に示す記録メディア残用量（記録可能容量）の算出用データを管理情報中に記録した構成におけるデータ更新処理、すなわち、プレイリストに新たなコンテンツを登録した場合の記録メディア残用量の変更に伴うデータ更新処理シーケンスについて、図１１に示すフローチャートを参照して説明する。図１２には、図１１に示すフローチャートにおいて算出するデータを説明する図を示す。
【０１１２】
図１１に示すフローチャートは、
ステップＳ２０１〜Ｓ２０４：プレイリスト登録済みコンテンツによるメディアの記録済み容量（総使用量＝Ｘ）の算出ステップ、図１２に示すデータ容量Ｘ４０１である。
ステップＳ２０５：新規登録予定コンテンツによる容量増加分（Ｙ＋１０＋１０）を（総使用量＝Ｘ）に加算した場合の想定総使用量（Ｚ）の算出ステップ、図１２に示すデータ容量Ｚ４０２である。
ステップＳ２０６：新規登録予定コンテンツが登録可能か否かを判定するステップ、
ステップＳ２０８〜２１０：新規登録予定コンテンツが登録可能である場合の処理ステップ（図２のフローにおけるステップＳ１０５〜Ｓ１０７に対応）
ステップＳ２１１：新規登録予定コンテンツが登録不可能である場合の処理ステップ（図２のフローにおけるステップＳ１０８に対応）
これらの各ステップを示している。
【０１１３】
ステップＳ２０１〜Ｓ２０４の処理について説明する。この処理は、図１に示す記録先メディア残容量算出部１０４の処理として実行される。記録先メディア残容量算出部１０４は、図１０に示す管理情報中に記録された記録メディア残用量（記録可能容量）算出用データを適用してプレイリスト登録済みコンテンツによるメディアの記録済み容量（総使用量＝Ｘ）の算出処理を行う。
【０１１４】
まず、ステップＳ２０１において、
インデックスファイル、
ムービーオブジェクトファイル、
プレイリストファイル、
クリップ情報ファイルを
これらのファイルをそれぞれ１ファイル＝１０ＫＢとする。なお、この１０ＫＢという数値は一例であり、各ファイルの平均容量に応じた値を利用する設定とすることが好ましい。
【０１１５】
ステップＳ２０２において、図１０に示す管理情報中に記録された記録メディア残用量（記録可能容量）算出用データに含まれるプレイリストファイル数（ＮｕｍＯｆＭｏｖｉｅＰｌａｙＬｉｘｔＦｉｌｅｓ）を取得して、以下の計算式、すなわち、
プレイリストファイル数（ＮｕｍＯｆＭｏｖｉｅＰｌａｙＬｉｘｔＦｉｌｅｓ）×１０ＫＢ
上記演算を実行して、プレイリストファイルの総容量（ＰＬ）を算出する。
【０１１６】
次に、ステップＳ２０３において、図１０に示す管理情報中に記録された記録メディア残用量（記録可能容量）算出用データに含まれるコンテンツ数（ＮｕｍＯｆＣｏｎｔｅｎｔ）を取得して、以下の計算式、すなわち、
コンテンツ数（ＮｕｍＯｆＣｏｎｔｅｎｔ）×１０ＫＢ
上記演算を実行して、クリップ情報ファイルの総容量（ＣＩ）を算出する。
【０１１７】
次に、ステップＳ２０４において、図１０に示す管理情報中に記録された記録メディア残用量（記録可能容量）算出用データに含まれるストリームファイルサイズ総容量（ＳｕｍＯｆＳｔｒｅａｍＦｉｌｅＳｉｚｅ）を取得して、
ストリームファイルの容量（ＳＴ）を求める。
【０１１８】
次に、ステップＳ２０５において、ステップＳ２０１〜Ｓ２０４の算出結果に基づいて現在のプレイリストの登録コンテンツによる総使用量（Ｘ）を算出する。
具体的には、
総使用量（Ｘ）
＝１０ＫＢ（インデックスファイル）＋１０ＫＢ（ムービーオブジェクトファイル）
＋（ＰＬ）＋（ＣＩ）＋（ＳＴ）
となる。図１２に示す総使用量Ｘ４０１である。
【０１１９】
なお、インデックスファイルおよびムービーオブジェクトファイルは１ファイルずつ設定される。すなわち、ＡＶＣＨＤフォーマットに従ったコンテンツのアーカイブ（コピー）を行う場合、先に図４を参照して説明したディレクトリ構成に従ったデータセットを外部記録メディアに記録することが必要となる。ステップＳ２０１〜Ｓ２０５では、すでにプレイリストに登録されているコンテンツに対応するコンテンツ（ストリームファイル）の容量および管理データ（インデックスなど）の容量の総容量を算出しているものである。
【０１２０】
ステップＳ２０６では、ステップＳ２０５で算出した総使用量（Ｘ）に、新規登録予定コンテンツ対応の以下のデータ容量、すなわち、
ストリームファイルのサイズ（ＳＴｎｅｗ）と、
クリップ情報ファィルサイズ（１０ＫＢ）と、
プレイリストファイル（１０ＫＢ）と、
これらの追加予定のデータ容量を加算して、新規登録予定コンテンツを追加登録した場合の想定総容量［Ｚ］を算出する。想定総容量［Ｚ］は下式によって算出される。
Ｚ＝Ｘ＋ＳＴｎｅｗ＋１０＋１０
図１２に示す想定総容量Ｚ４０２である。なお、コンテンツを追加登録した場合、クリップ情報ファイルとプレイリストファイルが管理情報として１つずつ追加される。
【０１２１】
ステップＳ２０７では、ステップＳ２０６で算出した新規登録予定コンテンツを追加登録した場合の想定総容量［Ｚ］と、外部記録メディアの全記録容量［Ｍａｌｌ］（図１２に示す外部メディア記録全容量［Ｍａｌｌ］４０３）とを比較する。すなわち、
全記録容量［Ｍａｌｌ］＞想定総容量［Ｚ］
上記式が成立するか否かを判定する。この処理は、図２に示すフローのステップＳ１０４の判定処理に対応する処理であり、記録可否判定部１０５が行う判定処理である。
【０１２２】
ステップＳ２０７において、
全記録容量［Ｍａｌｌ］＞想定総容量［Ｚ］
記録可否判定部１０５は、上記式が成立すれば、ユーザ指定コンテンツは、外部記録メディア１２１に記録可能であり、上記式が成立しない場合は、ユーザ指定コンテンツの外部記録メディア１２１に対する記録はできないと判断する。
【０１２３】
上記式が成立しない場合は、ステップＳ２１１に進み、容量オーバーによりプレイリスト登録できないコンテンツであることを通知する。例えば図１に示す出力部１０８を構成するディスプレイに容量オーバーによりプレイリスト登録できないコンテンツであることを示すメッセージデータを表示する処理などを行う。
【０１２４】
一方、上記式が成立しユーザ指定コンテンツが外部記録メディア１２１に記録可能であると判断すると、ステップＳ２０８〜Ｓ２１０の処理を実行する。ステップＳ２０８，Ｓ２０９、Ｓ２１０の処理は、図１に示すデータ記録更新処理部１０７の処理として実行される。
【０１２５】
まず、ステップＳ２０８において、ユーザの指定コンテンツをプレイリストに登録する。このプレイリストは、例えば先に図４を参照して説明したＡＶＣＨＤフォーマットにおけるバーチャルプレイリストである。このバーチャルプレイリストに、ユーザの指定コンテンツを再生指定コンテンツとして登録する処理を行う。
【０１２６】
その後、ステップＳ２０９において、先に図１０を参照して説明した管理情報中の記録メディア残用量（記録可能容量）算出用データを更新する。更新の必要なデータは、例えば以下のデータとなる。
ＮｕｍＯｆＣｏｎｔｅｎｔｓ：登録されている総コンテンツ数、
ＳｕｍＯｆＳｔｒｅａｍＦｉｌｅＳｉｚｅ：登録されている全コンテンツのストリームファイルサイズ合計、
ＮｕｍＯｆＭｏｖｉｅＰｌａｙＬｉｓｔＦｉｌｅｓ：生成されるプレイリストの数、
ＳｉｚｅＯｆＰｌａｙＬｉｓｔＦｉｌｅ：プレイリストファイルのサイズ、
ＮｕｍＯｆＣｏｎｔｅｎｔｓＩｎＰｌａｙＬｉｓｔ：プレイリストに登録されているコンテンツ数、
ＳｉｚｅＯｆＣｌｉｐＩｎｆｏＦｉｌｅ：登録されているコンテンツのＣｌｉｐＩｎｆｏファイルのサイズ、
ＳｉｚｅＯｆＳｔｒｅａｍＦｉｌｅ：登録されているコンテンツのＳｔｒｅａｍファイルのサイズ、
【０１２７】
ステップＳ２０９において管理情報中のデータ更新が終了すると、ステップＳ２１０においてプレイリスト登録完了をユーザに通知する。例えば図１に示す出力部１０８にプレイリスト登録完了を示すメッセージを表示して処理を終了する。
【０１２８】
このように、管理情報中に記録メディア残用量（記録可能容量）算出用データを記録している場合は、記録メディア残用量算出用データを利用して、新規登録コンテンツの登録により、コンテンツのコピー先としての記録先メディアの容量を超えないか否かを判定してプレイリストの登録可否が判定され、新規登録コンテンツの登録により、コンテンツのコピー先としての記録先メディアの容量を超えないことが確認された場合にプレイリストへの登録処理が実行され、その後、管理情報としての記録メディア残用量算出用データの更新処理が行われる。
【０１２９】
なお、先に図１０を参照して説明した管理情報中の記録メディア残用量（記録可能容量）算出用データの構成や、図１２を参照して説明したこれらの記録データを適用した記録メディア残用量の算出処理例は一例であり、管理情報中に記録する記録メディア残用量算出用データの構成は図１０に示す設定以外の設定も可能であり、その設定に応じて記録メディア残用量の算出や更新が実行されることになる。
【０１３０】
例えば、記録メディア残用量（記録可能容量）の算出処理としては以下の処理シーケンスで行うことも可能である。
ステップ１：インデックスファイル、ムービーオブジェクトファイルの使用量を管理情報に記録されているプレイリスト数［ＮｕｍＯｆＭｏｖｉｅＰｌａｙＬｉｓｔＦｉｌｅｓ］と、コンテンツ数［ＮｕｍＯｆＣｏｎｔｅｎｔｓ］を適用して計算する。
ステップ２：プレイリストファイルサイズを管理情報に記録されている登録コンテンツ数に基づいて計算する。
ステップ３：ストリームファイル、クリップ情報ファイルの総容量は管理情報に記録されている各コンテンツのストリームファイルサイズ、クリップ情報ファイルのサイズの和を計算して算出する。
ステップ４：ステップ１〜３の算出値の総和により、現在の使用量を算出する。
【０１３１】
上記のステップ１〜４の処理によって現在の使用量を算出して、新しく追加する新規追加登録予定コンテンツの、
ストリームファイルサイズ、
クリップ情報ファイルサイズ、
プレイリストファイルサイズ、
これらのサイズの総和を、現在の使用量に加算して、新規コンテンツの追加登録を行った場合に想定される総容量を計算し、想定される総容量が規定量、すなわちディスクの総容量オーバーしていないかを確認して、確認結果に基づいてプレイリスト登録を行うか否かを決定するという処理を行ってもよい。
【０１３２】
このように、管理情報には、記録メディア残用量（記録可能容量）算出用データとして様々な種類のデータが記録可能であり、その記録データに応じてプレイリストの登録可否を判定するための計算が行われる。すなわち、記録メディア残用量より小さい容量を持つ場合のみ、新たなコンテンツのプレイリスト登録が許容されることになる。なお、管理情報としては、記録メディア残用量算出用データに限らず、記録メディア残用量（記録可能容量）の値自体を記録する設定としてもよい。
【０１３３】
最後に、図１３を参照して、本発明の情報処理装置の一例としてのビデオカメラのハードウェア構成例について説明する。ビデオカメラ５００は、レンズ、ＣＣＤ（Ｃｈａｒｇｅ  Ｃｏｕｐｌｅｄ  Ｄｅｖｉｃｅ）などの撮像部５０１において取得した撮影信号をアナログ信号処理部５０２に入力し、アナログ信号処理部５０２においてノイズ除去等の処理を行い、Ａ／Ｄ変換部５０３においてデジタル信号に変換する。デジタル変換されたデータは、デジタル信号処理部５０４において、データ圧縮などのデジタル信号処理がなされた後、例えばハードディスクやフラッシュメモリなどによって構成される記録デバイス５１５に記録される。さらに、モニタ５１７、ビューファインダ（ＥＶＦ）５１６に表示する。
【０１３４】
操作部５１１は、ビデオカメラ本体にあるシャッター等の他、記録デバイス５１５に記録されたデータの再生指定スイッチ、早送り再生や巻き戻し再生などの処理開始を行うためのスイッチ類が含まれる。なお操作部５１１は、モニタ５１７と兼用したユーザインタフェースとして構成されてもよい。
【０１３５】
制御部５１０は、ＣＰＵを有し、撮像装置の実行する各種の処理の制御を予めメモリ（ＲＯＭ）５２０などに格納されたプログラムに従って実行する。メモリ（ＥＥＰＲＯＭ）５１２は不揮発性メモリであり、画像データ、各種の補助情報、プログラムなどが格納される。メモリ（ＲＯＭ）５２０は、制御部（ＣＰＵ）５１０が使用するプログラムや演算パラメータ等を格納する。メモリ（ＲＡＭ）５２１は、制御部（ＣＰＵ）５１０において使用するプログラムや、その実行において適宜変化するパラメータ等を格納する。
【０１３６】
メディアＩ／Ｆ５２２はＤＶＤなどの外部記録メディア用のインタフェースであり、通信部５２３は、ＰＣなどＤＶＤなどの外部記録メディアに対する記録処理を実行する装置との通信処理を実行する。メディアＩ／Ｆ５２２や通信部５２３を介してバーチャルプレイリストに登録されたコンテンツのアーカイブ処理（コピー処理）が行われる。
【０１３７】
なお、図１３に示す情報処理装置のハードウェア構成例は装置の一例であり、図１３に示す構成に限らず、上述した実施例において説明した処理を実行可能な様々な装置が適用可能である。
【０１３８】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１３９】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１４０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１４１】
以上、説明したように、本発明の一実施例の構成によれば、コンテンツの再生順を規定したプレイリストの作成において、外部記録メディアをプレイリストの登録コンテンツの記録先として想定したプレイリスト作成処理を行い、プレイリストに対する新規コンテンツの登録に際して、プレイリスト登録コンテンツの全てを外部記録メディアに記録可能か否かの容量判定を実行し、記録可能であるとの判定を条件として、新規コンテンツをプレイリストに登録する。本構成により、プレイリスト登録コンテンツのアーカイブ（コピー処理）に際して、１つのＤＶＤなど１つの記録メディアに対して確実に記録することが可能となる。
【図面の簡単な説明】
【０１４２】
【図１】本発明の一実施例に係る情報処理装置の構成例および処理について説明する図である。
【図２】本発明の一実施例に係る情報処理装置を利用したコンテンツのプレイリスト登録処理シーケンスを説明するフローチャートを示す図である。
【図３】本発明の一実施例に係る情報処理装置において表示する表示データの例を示す図である。
【図４】本発明の一実施例に係る情報処理装置においてメディアに格納するデータ構成であるＡＶＣＨＤフォーマットに従ったデータについて説明する図である。
【図５】本発明の一実施例に係る情報処理装置におけるプレイリストに対するコンテンツ登録処理の具体例について説明する図である。
【図６】ＡＶＣＨＤフォーマットに従った管理情報中に記録メディア残用量（記録可能容量）情報の算出用データを記録する具体例について説明する図である。
【図７】ＡＶＣＨＤフォーマットに従った管理情報中に記録メディア残用量（記録可能容量）情報の算出用データを記録する具体例について説明する図である。
【図８】ＡＶＣＨＤフォーマットに従った管理情報中に記録メディア残用量（記録可能容量）情報の算出用データを記録する具体例について説明する図である。
【図９】ＡＶＣＨＤフォーマットに従った管理情報中に記録メディア残用量（記録可能容量）情報の算出用データを記録する具体例について説明する図である。
【図１０】ＡＶＣＨＤフォーマットに従った管理情報中に記録メディア残用量（記録可能容量）情報の算出用データを記録する具体例について説明する図である。
【図１１】ＡＶＣＨＤフォーマットに従った管理情報中の記録メディア残用量（記録可能容量）情報の算出用データを利用した処理シーケンスについて説明するフローチャートを示す図である。
【図１２】ＡＶＣＨＤフォーマットに従った管理情報中の記録メディア残用量（記録可能容量）情報の算出用データを利用した処理について説明する図である。
【図１３】情報処理装置のハードウェア構成例について説明する図である。
【符号の説明】
【０１４３】
１００  プレイリスト作成部
１０１  ユーザ入力部
１０２  コンテンツ要領取得部
１０３  記録先メディア必要容量算出部
１０４  記録先メディア残容量算出部
１０５  メディアＩ／Ｆ
１０６  記録可否判定部
１０７  データ記録更新処理部
１０８  出力部
１１０  内部記録メディア
１２１  外部記録メディア
５００  ビデオカメラ
５０１  撮像部
５０２  アナログ信号処理部
５０３  Ａ／Ｄ変換部
５０４  デジタル信号処理部
５１０  制御部
５１１  操作部
５１２  メモリ
５１５  記録デバイス
５１６  ビューファインダ
５１７  モニタ
５２０  メモリ（ＲＯＭ）
５２１  メモリ（ＲＡＭ）
５２２  メディアＩ／Ｆ
５２３  通信部
【図１】
2009071451.tif 000003
【図２】
2009071451.tif 000004
【図３】
2009071451.tif 000005
【図４】
2009071451.tif 000006
【図５】
2009071451.tif 000007
【図６】
2009071451.tif 000008
【図７】
2009071451.tif 000009
【図８】
2009071451.tif 000010
【図９】
2009071451.tif 000011
【図１０】
2009071451.tif 000012
【図１１】
2009071451.tif 000013
【図１２】
2009071451.tif 000014
【図１３】
2009071451.tif 000015